(57)【要約】【課題】医用画像に対する教師ありの学習用データを効率的に取得することである。【解決手段】実施形態の情報処理装置は、取得部と、ラベル付与部とを持つ。取得部は、第一の医療機関から複数の健診者ごとの医用画像を含む健診データを取得する。ラベル付与部は、前記健診データに対応付けられた日付から基準期間以内に、前記複数の健診者に含まれる健診者が前記第一の医療機関または前記第一の医療機関とは異なる第二の医療機関で特定の検査を受けたことが検知され、または推定された場合に、前記健診者に係る医用画像に第１のラベルを付与する。また、前記第１のラベルは、医用画像に基づいて追加検査の有無を出力するモデルを生成する際の正例として用いられるものである。【選択図】図１
2020113208.tif 000002
【特許請求の範囲】
【請求項１】
第一の医療機関から複数の健診者ごとの医用画像を含む健診データを取得する取得部と、
前記健診データに対応付けられた日付から基準期間以内に、前記複数の健診者に含まれる健診者が前記第一の医療機関または前記第一の医療機関とは異なる第二の医療機関で特定の検査を受けたことが検知され、または推定された場合に、前記健診者に係る医用画像に第１のラベルを付与するラベル付与部とを備え、
前記第１のラベルは、医用画像に基づいて追加検査の有無を出力するモデルを生成する際の正例として用いられるものである、
情報処理装置。
【請求項２】
前記ラベル付与部は、前記健診データに対応付けられた日付から基準期間以内に、前記複数の健診者に含まれる健診者が前記第一の医療機関または前記第一の医療機関とは異なる第二の医療機関で特定の検査を受けていることが検知されず、且つ推定されない場合に、前記健診者に係る医用画像に第２のラベルを付与し、
前記第２のラベルは、前記モデルを生成する際の負例として用いられるものである、
請求項１に記載の情報処理装置。
【請求項３】
前記第二の医療機関は、前記第一の医療機関よりも精密な診察が実施可能な医療機関である、
請求項１または２に記載の情報処理装置。
【請求項４】
前記ラベル付与部は、前記健診データに対応付けられた紹介状が発行された場合に、前記健診者が前記第一の医療機関または前記第一の医療機関とは異なる第二の医療機関で特定の検査を受けたと推定する、
請求項１から３のうち何れか１項に記載の情報処理装置。
【請求項５】
前記ラベル付与部によりラベルが付与された医用画像に基づいて学習済みモデルを生成する学習モデル生成部を更に備える、
請求項１から４のうち何れか１項に記載の情報処理装置。
【請求項６】
前記健診者に対する過去の健診データの履歴情報に生成する経過観察部を更に備え、
前記経過観察部は、前記健診者に対する最新の健診データの医用画像に付与したラベルと、前記履歴情報に含まれる前記健診者の医用画像に付与したラベルとに基づいて、前記学習モデル生成部が入力する医用画像から削除する、
請求項５に記載の情報処理装置。
【請求項７】
前記学習モデル生成部は、前記ラベル付与部によりラベルが付与された医用画像に対して権限者による確認が完了した医用画像を用いて学習済みモデルを生成する、
請求項５または６に記載の情報処理装置。
【請求項８】
請求項５から７のうち何れか１項に記載の情報処理装置の学習モデル生成部により生成された学習済みモデルを用いて、
ある健診者の医用画像に基づいて当該健診者の追加検査の必要性の有無を示す情報を出力する処理部を備える、
医用画像処理装置。
【請求項９】
情報処理装置が、
第一の医療機関から複数の健診者ごとの医用画像を含む健診データを取得させ、
前記健診データに対応付けられた日付から基準期間以内に、前記複数の健診者に含まれる健診者が前記第一の医療機関または前記第一の医療機関とは異なる第二の医療機関で特定の検査を受けたことが検知され、または推定された場合に、前記健診者に係る医用画像に第１のラベルを付与させ、
前記第１のラベルは、医用画像に基づいて追加検査の有無を出力するモデルを生成する際の正例として用いられるものである、
プログラム。
【発明の詳細な説明】
【技術分野】
【０００１】
本発明の実施形態は、情報処理装置、医用画像処理装置、およびプログラムに関する。
【背景技術】
【０００２】
従来、機械学習の技術を医療分野に適用することについて、実用化が進められている。一例として、医用画像と、所見または所見を基にした診断結果等に基づく異常の有無とを対応付けた教師ありの学習データを用いて機械学習をさせることで、医用画像に対する異常の有無を分類する手法が知られている。しかしながら、医師等が医用画像を見て異常の有無をラベル付けするには時間がかかる場合があった。また、医療分野において、教師ありの学習用データを大量に集めることが困難な場合があった。
【先行技術文献】
【特許文献】
【０００３】
【特許文献１】特開２０１７−９７６５４号公報
【特許文献２】特開２０１５−１６００８５号公報
【特許文献３】特開２０１３−１３２５１４号公報
【特許文献４】特開２０１２−２２１３６５号公報
【特許文献５】米国特許出願公開第２０１８／００６８０８３号明細書
【特許文献６】米国特許出願公開第２００４／０２３６７２３号明細書
【特許文献７】米国特許出願公開第２０１０／０１５１４３１号明細書
【発明の概要】
【発明が解決しようとする課題】
【０００４】
本発明が解決しようとする課題は、医用画像に対する教師ありの学習用データを効率的に取得することである。
【課題を解決するための手段】
【０００５】
実施形態の情報処理装置は、取得部と、ラベル付与部とを持つ。取得部は、第一の医療機関から複数の健診者ごとの医用画像を含む健診データを取得する。ラベル付与部は、前記健診データに対応付けられた日付から基準期間以内に、前記複数の健診者に含まれる健診者が前記第一の医療機関または前記第一の医療機関とは異なる第二の医療機関で特定の検査を受けたことが検知され、または推定された場合に、前記健診者に係る医用画像に第１のラベルを付与する。また、前記第１のラベルは、医用画像に基づいて追加検査の有無を出力するモデルを作成する際の正例として用いられるものである。
【図面の簡単な説明】
【０００６】
【図１】第１の実施形態の情報処理装置１００の使用環境の一例を示す図。
【図２】第１の実施形態の診察データ１５１の内容の一例を示す図。
【図３】第１の実施形態の患者統合データ１５２の内容の一例を示す図。
【図４】第１の実施形態の診察レベルデータ１５３の内容の一例を示す図。
【図５】第１の実施形態のラベル付与機能の一連の処理の流れを示すフローチャート。
【図６】第１の実施形態の教師あり学習用データ１５４の内容の一例を示す図。
【図７】第１の実施形態の学習モデル生成機能１４３の内容について説明するための図。
【図８】第１の実施形態の医用画像処理装置２４０の構成例を示す図。
【図９】第１の実施形態の処理回路１４０の一連の処理について説明するためのフローチャート。
【図１０】第２の実施形態のラベル付与機能の一連の処理の流れを示すフローチャート。
【図１１】第３の実施形態のラベル付与機能の一連の処理の流れを示すフローチャート。
【図１２】紹介状画像ＩＭ１の一例を示す図。
【図１３】第４の実施形態の情報処理装置１００Ａの機能の一例を示す図。
【図１４】第４の実施形態の履歴情報１５６の内容の一例を示す図。
【図１５】第４の実施形態の教師あり学習用データ１５４Ａの内容の一例を示す図。
【図１６】第４の実施形態のラベル付与機能および経過観察機能を含む一連の処理の流れを示すフローチャート。
【発明を実施するための形態】
【０００７】
以下、実施形態の情報処理装置、医用画像処理装置、およびプログラムを、図面を参照して説明する。
【０００８】
（第１の実施形態）
図１は、第１の実施形態の情報処理装置１００の使用環境の一例を示す図である。図示する環境において、情報処理装置１００は、ネットワークＮＷを介して複数の医療機関２００−１〜２００−Ｎと接続される。ネットワークＮＷは、例えば、ＷＡＮ（Wide Area Network）やＬＡＮ（Local Area Network）、インターネット、専用回線、無線基地局、プロバイダ等を含む。以下の説明において、医療機関２００−１〜２００−Ｎは、何れの医療機関であるかを区別しないときは、何れの医療機関であるかを示すハイフン以降の符号を省略し、「医療機関２００」と称して説明する。また、ハイフンを用いて説明する他の構成についても同様とする。
【０００９】
情報処理装置１００は、一つまたは複数のプロセッサにより実現される。例えば、情報処理装置１００は、クラウドコンピューティングシステムに含まれるコンピュータであってもよいし、他の機器に依存せずに単独で動作するコンピュータであってもよい。情報処理装置１００は、ネットワークＮＷを介して医療機関２００から診察データや患者データ、診察レベルに関する情報等を取得する。また、情報処理装置１００は、医療機関から得られる各種データに基づいて教師あり学習用データや学習済みモデルを生成する。情報処理装置１００の機能の詳細については、後述する。
【００１０】
医療機関２００は、例えば、健診センターや病院、診療所等の各種医療施設である。また、医療機関２００は、少なくとも医用画像を含む健診データを生成することが可能な施設である。医用画像とは、例えば、医療や医学のために人体の部位を撮影、または計測した結果を画像化したものである。医用画像には、ＣＴ（Computed Tomography）画像、ＭＲ（Magnetic Resonance）画像、マンモグラフィ画像、内視鏡画像、レントゲン画像等が含まれる。また、医用画像は、二次元画像でもよく、三次元画像でもよい。
【００１１】
医療機関２００は、例えば、医用画像生成装置２２０と、医用画像処理装置２４０とを備える。医用画像生成装置２２０は、例えば、ＭＲＩ（Magnetic Resonance Imaging）装置や、ＣＴ装置、マンモグラフィ装置、内視鏡画像生成装置、レントゲン画像生成装置等を含む。ＭＲＩ装置は、例えば、被検体（例えば人体）に磁場を与えて、核磁気共鳴現象によって被検体内の水素原子核から発生する電磁波を、コイルを利用して受信し、その受信した電磁波に基づく信号を再構成することで医用画像（ＭＲ画像）を生成する。ＣＴ装置は、例えば、被検体の周囲を回転するＸ線管から被検体にＸ線を照射すると共に、その被検体を通過したＸ線を検出し、検出したＸ線に基づく信号を再構成することで医用画像（ＣＴ画像）を生成する。マンモグラフィ装置は、例えば、被検体の乳房にＸ線を照射し、乳房を透過したＸ線を検出してマンモグラフィ画像を生成する。内視鏡画像撮影装置は、例えば、内視鏡カメラを体内の所定の部位付近まで挿入し、部位付近を撮像することで、所定の部位の内視鏡画像を生成する。レントゲン画像生成装置は、例えば、Ｘ線照射装置とフィルムの間に被検体を置き、焼き付けて画像化することでレントゲン画像を生成する。
【００１２】
医用画像処理装置２４０は、一つまたは複数のプロセッサにより実現される。例えば、情報処理装置１００は、クラウドコンピューティングシステムに含まれるコンピュータであってもよいし、他の機器に依存せずに単独で動作するコンピュータ（スタンドアローンのコンピュータ）であってもよい。医用画像処理装置２４０は、医用画像生成装置２２０により生成された医用画像に対する各種処理を行う。また、医用画像処理装置２４０は、ネットワークＮＷを介して情報処理装置１００と通信を行い、診察データや患者データ、診察レベルに関する情報を情報処理装置１００に送信したり、学習済みモデルを情報処理装置１００から受信したりする。医用画像処理装置２４０の機能の詳細については、後述する。
【００１３】
次に、情報処理装置１００の機能の詳細について具体的に説明する。情報処理装置１００は、例えば、通信インターフェース１１０と、入力インターフェース１２０と、ディスプレイ１３０と、処理回路１４０と、メモリ１５０とを備える。通信インターフェース１１０は、例えば、ＮＩＣ（Network Interface Card）等の通信インターフェースを含む。通信インターフェース１１０は、ネットワークＮＷを介して医療機関２００と通信し、医療機関２００から情報を受信したり、医療機関２００に学習済みモデルを送信したりする。通信インターフェース１１０は、受信した情報を処理回路１４０に出力する。また、通信インターフェース１１０は、処理回路１４０による制御を受けて、ネットワークＮＷを介して接続された他の外部装置と通信を行ってもよい。
【００１４】
入力インターフェース１２０は、操作者からの各種の入力操作を受け付け、受け付けた入力操作を電気信号に変換して処理回路１４０に出力する。例えば、入力インターフェース１２０は、マウスやキーボード、トラックボール、スイッチ、ボタン、ジョイスティック、タッチパネル等により実現される。また、入力インターフェース１２０は、例えば、マイク等の音声入力を受け付けるユーザインターフェースによって実現されてもよい。入力インターフェース１２０がタッチパネルである場合、後述するディスプレイ１３０は入力インターフェース１２０と一体として形成されてよい。
【００１５】
ディスプレイ１３０は、各種の情報を表示する。例えば、ディスプレイ１３０は、処理回路１４０によって生成された画像を表示したり、操作者からの各種の入力操作を受け付けるためのＧＵＩ（Graphical User Interface）等を表示したりする。例えば、ディスプレイ１３０は、ＬＣＤ（Liquid Crystal Display）や、ＣＲＴ（Cathode Ray Tube）ディスプレイ、有機ＥＬ（Electro Luminescence）ディスプレイ等である。
【００１６】
処理回路１４０は、例えば、取得機能１４１と、ラベル付与機能１４２と、学習モデル生成機能１４３とを備える。処理回路１４０は、例えば、ハードウェアプロセッサがメモリ（記憶回路）１５０に記憶されたプログラムを実行することにより、これらの機能を実現するものである。
【００１７】
ハードウェアプロセッサとは、例えば、ＣＰＵ（Central Processing Unit）、ＧＰＵ（Graphics Processing Unit）、特定用途向け集積回路（Application Specific Integrated Circuit; ＡＳＩＣ）、プログラマブル論理デバイス（例えば、単純プログラマブル論理デバイス（Simple Programmable Logic Device; ＳＰＬＤ）または複合プログラマブル論理デバイス（Complex Programmable Logic Device; ＣＰＬＤ）、フィールドプログラマブルゲートアレイ（Field Programmable Gate Array; ＦＰＧＡ））等の回路（circuitry）を意味する。メモリ１５０にプログラムを記憶させる代わりに、ハードウェアプロセッサの回路内にプログラムを直接組み込むように構成しても構わない。この場合、ハードウェアプロセッサは、回路内に組み込まれたプログラムを読み出し実行することで機能を実現する。上記のプログラムは、予めメモリ１５０に格納されていてもよいし、ＤＶＤやＣＤ−ＲＯＭ等の非一時的記憶媒体に格納されており、非一時的記憶媒体が情報処理装置１００のドライブ装置（不図示）に装着されることで非一時的記憶媒体からメモリ１５０にインストールされてもよい。ハードウェアプロセッサは、単一の回路として構成されるものに限らず、複数の独立した回路を組み合わせて１つのハードウェアプロセッサとして構成され、各機能を実現するようにしてもよい。また、複数の構成要素を１つのハードウェアプロセッサに統合して各機能を実現するようにしてもよい。取得機能１４１は、「取得部」の一例である。ラベル付与機能１４２は、「ラベル付与部」の一例である。学習モデル生成機能１４３は、「学習モデル生成部」の一例である。
【００１８】
メモリ１５０は、例えば、ＲＡＭ（Random Access Memory）、フラッシュメモリ等の半導体メモリ素子、ハードディスク、光ディスク等によって実現される。非一過性の記憶媒体を含むこれらの記憶媒体は、ＮＡＳ（Network Attached Storage）や外部ストレージサーバ装置といったネットワークＮＷを介して接続される他の記憶装置によって実現されてもよい。また、メモリ１５０には、ＲＯＭ（Read Only Memory）やレジスタ等の一過性の記憶媒体が含まれてもよい。メモリ１５０には、例えば、診察データ１５１、患者統合データ１５２、診察レベルデータ１５３、教師あり学習用データ１５４、学習済みモデル１５５、およびその他の情報が格納される。
【００１９】
取得機能１４１は、各医療機関から診察データを取得し、取得した診察データ１５１をメモリ１５０に記憶させる。図２は、第１の実施形態の診察データ１５１の内容の一例を示す図である。診察データには、医療機関を識別する識別情報である医療機関ＩＤおよび患者を識別する識別情報であるＵＩＤに、健診フラグと、日付情報と、診察結果と、紹介状情報とが対応付けされている。健診フラグは、例えば、その診察データの１レコードが健診結果であるか、健診以外での診察結果であるかを識別するためのフラグである。図２の例において、健診フラグが「１」の場合は、健診結果のレコードであることを示し、健診フラグが「０」の場合は、健診結果のレコードではないことを示す。以下、必要に応じて、健診フラグが「１」の診察データを「健診データ」と称し、健診データに対応する患者を「健診者」と称するものとする。
【００２０】
日付情報には、例えば、診察の実施日、或いは診察結果を患者または患者が所属する企業に発送した発送日等が含まれる。健診データでない診察データの場合には、発送日が格納されない場合があってもよい。
【００２１】
診察結果には、例えば、医用画像、数値データ、所見情報が含まれる。医用画像は、各医療機関２００の医用画像生成装置２２０で生成された医用画像である。数値データには、例えば、患者、身長、体重、視力、血圧、肺活量、心拍数、血液検査や尿検査により得られる数値情報等が含まれる。所見情報には、例えば、患者の状態や診察データに対する医師や看護師等の所定の権限者の所見が含まれる。また、所見情報には、診察データに含まれる所定の項目に対する確度レベルに関する情報、医師等から指定された追加検査等を実施するまでの基準期間が含まれてよい。なお、図２の例では、診察データに健診データが含まれる例を示したが、診察データと健診データとを別データとしてメモリ１５０に記憶させてもよい。
【００２２】
紹介状情報は、例えば、ある医療機関の医師が他の医療機関の医師に患者を紹介する場合に発行する診療情報提供書類に関する情報である。紹介状情報には、例えば、紹介状に記載された診療情報、または医療機関２００のスキャナ等で読み取られた紹介状に関する画像（以下、紹介状画像と称する）が含まれる。また診察データには、紹介状情報が含まれていなくてもよい。
【００２３】
また、取得機能１４１は、ネットワークＮＷを介して接続される外部装置から患者統合データを取得し、取得した患者統合データ１５２をメモリ１５０に記憶させる。外部装置とは、例えば、ＭＰＩ（Master Patient Index）システムである。ＭＰＩシステムとは、例えば、患者の身元を統合的に確認することができるシステムである。
【００２４】
図３は、第１の実施形態の患者統合データ１５２の内容の一例を示す図である。患者統合データ１５２は、患者を特定する統合ＩＤ（メインＩＤ）に、医療機関別ＵＩＤ（サブＩＤ）と、個人情報とが対応付けられている。医療機関別ＵＩＤには、医療機関２００ごとに対応する患者のＵＩＤが格納される。図３の例において、各医療機関は、医療機関ＩＤにより識別される。個人情報には、例えば、患者の氏名、性別、生年月日、年齢、住所等が含まれる。例えば、図３の例において、統合ＩＤが「Ｕａ」である患者は、医療機関ＩＤが「Ｈ００１」の医療機関におけるＵＩＤは「Ｕ００１」であり、医療機関ＩＤが「Ｈ００２」の医療機関におけるＵＩＤは「Ｐ１２３４」であり、医療機関ＩＤが「Ｈ００３」の医療機関におけるＵＩＤは「Ｍ００３４５」であることを示している。患者統合データ１５２により、同一患者に付与された、複数の医療機関２００のそれぞれのＵＩＤ（サブＩＤ）を取得することができる。
【００２５】
なお、取得機能１４１は、各医療機関２００からＵＩＤと個人情報とが対応付けられた患者データ等を取得し、取得した患者情報の個人情報に基づいてマッチングを行い、個人情報がマッチした患者のＵＩＤを対応付けて、図３に示す患者統合データ１５２を生成してもよい。
【００２６】
また、取得機能１４１は、各医療機関から診察レベルデータを取得し、取得した診察レベルデータ１５３をメモリ１５０に記憶させる。図４は、第１の実施形態の診察レベルデータ１５３の内容の一例を示す図である。診察レベルデータ１５３は、医療機関ＩＤに診察レベルが対応付けられている。診察レベルとは、各医療機関２００の設備情報または医療機関２００に所属する医師に関する情報のうち一方または双方に基づいて設定される指標である。設備情報とは、例えば、診察機器の種類、測定精度、設置台数に関する情報である。医師に関する情報とは、例えば、医師の人数、専門分野、経験年数である。
【００２７】
例えば、診察レベルデータ１５３には、設置された診察機器が新しいほど精密な検査が可能であると推定して診察レベルが高く設定されている。また、診察機器による測定精度が高いほど、または設置台数が多いほど、診察レベルが高く設定されている。また、診察レベルデータ１５３は、医師の経験年数が高いほど、実績があるため、より精密な検査を実施できるものと推定して診察レベルが高く設定されている。
【００２８】
図４の例において、診察レベルの高さは「Ａ＞Ｂ＞Ｃ」であるものとする。つまり、図４の例では、医療機関ＩＤが「Ｈ００２」の医療機関は、医療機関ＩＤが「Ｈ００１」の医療機関よりも精密な検査を受けることができる高度医療機関であることを示している。また、図４の例では、医療機関ＩＤが「Ｈ００３」の医療機関は、医療機関ＩＤが「Ｈ００１」および「Ｈ００２」の医療機関よりも精密な検査を受けることができる高度医療機関であることを示している。
【００２９】
なお、取得機能１４１は、各医療機関２００から設備情報または医療機関２００に所属する医師に関する情報のうち一方または双方を取得し、取得した情報に基づいて、診察レベルデータ生成してもよい。この場合、取得機能１４１は、診察機器の種類、測定精度、設置台数、医師に関する情報のそれぞれと、診察レベルとを対応付けたテーブルを予め設定しておき、設備データに含まれる診察機器の種類、精度、設置台数、医師に関する情報等とテーブルとを照合して、診察レベルを設定する。
【００３０】
ラベル付与機能１４２は、診察データ１５１のうち、健診データに含まれる医用画像にラベルを付与する。ラベルとは、例えば、医用画像に基づいて追加検査の有無を出力するモデルを生成する際に、正例または負例として用いられるものである。以下では、正例のラベルを「第１のラベル」と称し、負例のラベルを「第２のラベル」と称するものとする。
【００３１】
ラベル付与機能１４２は、例えば、健診データに対応付けられた日付から基準期間以内に、複数の健診者に含まれる特定の健診者が、同一または他の医療機関２００で特定の検査を受けたことが検知され、または推定された場合に、その健診者に係る医用画像に第１のラベルを付与する。基準期間とは、例えば、予め決められた数か月程度の期間でもよく、健診結果に基づいて医師等から指定された期間でもよい。医師等から指定された期間は、例えば、診察データ１５１に含まれる所見情報等から取得される。同一の医療機関は、「第１の医療機関」の一例である。他の医療機関は、「第２の医療機関」の一例である。
【００３２】
特定の検査とは、例えば、健診データの結果で正常ではない（異常がある、または異常がないとはいえない）項目に対する追加検査または再検査である。また、特定の検査を受けたことが検知されるとは、例えば、特定の検査に対する結果が診察データ内に存在する場合である。また、特定の検査を受けたことが推定されるとは、例えば、診断結果までは出ていないが特定の検査を実施したことが診察データから推定される場合である。例えば、ラベル付与機能１４２は、健診データの結果で正常ではない項目が循環器に関する項目であり、診断データの所見情報に循環器の追加検査に関する情報が記載されている場合に特定の検査を受けたことを検知する。また、ラベル付与機能１４２は、例えば、診察データの所見情報には記載がないが、診察結果の医用画像に循環器の画像が含まれる場合に、特定の検査を受けたことを推定する。また、ラベル付与機能１４２は、例えば、審査データの所見情報に、循環器に関する項目の記載はなく、異なる項目（例えば、皮膚に関する項目）の記載がある場合には、特定の検査を受けていないことを検知する。
【００３３】
また、ラベル付与機能１４２は、健診データに対応付けられた日付から基準期間以内に、複数の健診者に含まれる特定の健診者が同一または他の医療機関２００で特定の検査を受けていることが検知されず、且つ、推定されない場合に、その健診者に係る医用画像に第２のラベルを付与してもよい。
【００３４】
図５は、第１の実施形態のラベル付与機能の一連の処理の流れを示すフローチャートである。図５の処理は、所定の周期またはタイミングで繰り返し実行されてよい。図５の例において、ラベル付与機能１４２は、まず、診察データ１５１の健診フラグを参照し、健診データ以外の診察データを抽出する（ステップＳ１００）。次に、ラベル付与機能１４２は、抽出した診察データごとに、診察データに含まれるＵＩＤに基づいて、ＵＩＤに対応付けられた対象患者（健診者）の健診データを検索する（ステップＳ１０２）。ステップＳ１０２の処理において、ラベル付与機能１４２は、診察データに含まれる医療機関ＩＤおよびＵＩＤに基づいて、患者統合データ１５２を参照し、対象患者のＵＩＤに対応付けられた他の医療機関の医療機関ＩＤおよびＵＩＤを取得する。そして、ラベル付与機能１４２は、取得した全ての医療機関ＩＤとＵＩＤとの組に基づいて、各医療機関から得られた診察データを参照し、合致する健診データのレコードを検索する。
【００３５】
次に、ラベル付与機能１４２は、対象患者の健診データを抽出したか否かを判定する（ステップＳ１０４）。対象患者の健診データを抽出した場合、ラベル付与機能１４２は、特定の検査を受けていることが検知または推定されているか否かを判定する（ステップＳ１０６）。特定の検査を受けている場合、ラベル付与機能１４２は、健診データに含まれる日付と、診察データに日付とを比較し（ステップＳ１０８）、特定の検査を受けたことが検知または推定された日が健診データに対応付けられた日付から基準期間以内であるか否かを判定する（ステップＳ１１０）。
【００３６】
基準期間内である場合、ラベル付与機能１４２は、健診データの医用画像に第１のラベルを付与する（ステップＳ１１２）。また、基準期間内でない場合、ラベル付与機能１４２は、健診データの医用画像に第２のラベルを付与する（ステップＳ１１４）。ステップＳ１１２またはステップＳ１１４の処理が終了後、ステップＳ１０４の処理において対象の健診データを抽出していない場合、または、ステップＳ１０４の処理において特定の検査を受けていない場合、ラベル付与機能１４２は、診察データに含まれる全てのＵＩＤに対して処理を行ったか否かを判定する（ステップＳ１１６）。全てのＵＩＤに対して処理を行っていない場合、ステップＳ１０２の処理に戻る。また、全てのＵＩＤに対して処理を行っている場合、本フローチャートを終了する。
【００３７】
ラベル付与機能１４２は、医用画像に上述したラベルを付与した教師あり学習用データ１５４を生成し、生成した教師あり学習用データ１５４に記憶する。図６は、第１の実施形態の教師あり学習用データ１５４の内容の一例を示す図である。教師あり学習用データ１５４は、例えば、医用画像に、ラベルが対応付けられている。図６の例において、ラベル「１」は、その医用画像に第１のラベルが付与されていることを示し、ラベル「２」は、その医用画像に第２のラベルが付与されていることを示している。
【００３８】
また、ラベル付与機能１４２は、上述した教師あり学習用データ１５４をディスプレイ１３０に表示させ、医師等の権限者が入力インターフェース１２０を介して、最終的なラベル付けを行ってもよい。この場合、医師等は、予め上述した条件に基づいて、第１のラベルまたは第２のラベルが付与された医用画像を確認することになるため、最終的なラベル付けを効率的、且つ、短時間に行うことができる。また、医師等は、教師あり学習用データ１５４を第１のラベルまたは第２のラベルを用いてフィルタリングすることで、確認するデータ数を削減し、より短時間に、視認によるラベル付けを行うことができる。
【００３９】
学習モデル生成機能１４３は、ラベル付与機能１４２によりラベルが付与された教師あり学習用データに対して、所定の機械学習アルゴリズムを用いて、医用画像に関して追加検査の有無を出力する学習済みモデル１５５を生成する。また、学習モデル生成機能１４３は、ラベル付与機能１４２によりラベルが付与された医用画像に対して権限者による確認が完了した医用画像を用いて学習済みモデル１５５を生成してもよい。
【００４０】
ここで、図７は、第１の実施形態の学習モデル生成機能１４３の内容について説明するための図である。学習モデル生成機能１４３は、例えば、ＣＮＮ（Convolutional Neural Network）を利用したＤＮＮ（Deep Neural Network）を備える。例えば、学習モデル生成機能１４３は、ＤＮＮに対して誤差逆伝搬法等の機械学習アルゴリズムにより、ニューラルネットワークを学習させ、医療画像の入力に対して第１のラベルまたは第２のラベルを識別する学習済みモデル１５５を生成する。
【００４１】
また、学習モデル生成機能１４３は、生成された学習済みモデル１５５をメモリ１５０に記憶させたり、医療機関２００に送信したりする。これにより、医療機関２００の医用画像処理装置２４０は、医用画像生成装置２２０により生成された医用画像に対して学習済みモデル１５５を用いて、より適切に、追加検査の有無を出力することができる。また、学習モデル生成機能１４３は、学習済みモデル１５５を生成するのに代えて、または加えて、追加検査の有無を出力するための未知関数を推定してもよい。
【００４２】
図８は、第１の実施形態の医用画像処理装置２４０の構成例を示す図である。以下の説明では、主に、医用画像処理装置２４０が、医用画像生成装置２２０から得られる医用画像を入力して、学習済みモデルを用いて、再健診の有無を示す情報を出力する機能を中心に説明する。
【００４３】
医用画像処理装置２４０は、例えば、通信インターフェース２４２と、入力インターフェース２４４と、ディスプレイ２４６と、処理回路２５０と、メモリ２６０とを備える。通信インターフェース２４２は、例えば、ＮＩＣ等の通信インターフェースを含む。通信インターフェース２４２は、ネットワークＮＷを介して医用画像生成装置２２０から医用画像を受信する。また、通信インターフェース２４２は、ネットワークＮＷを介して情報処理装置１００と通信を行い、診察データや患者データ、診察レベルに関する情報を送信したり、学習済みモデル１５５を受信したりする。受信した学習済みモデル１５５は、メモリ２６０に記憶される。また、通信インターフェース２４２は、処理回路２５０による制御を受けて、ネットワークＮＷを介して接続された他の装置と通信を行ってもよい。
【００４４】
入力インターフェース２４４は、医師等の操作者からの各種の入力操作を受け付け、受け付けた入力操作を電気信号に変換して処理回路２５０に出力する。例えば、入力インターフェース２４４は、マウスやキーボード、トラックボール、スイッチ、ボタン、ジョイスティック、タッチパネル等により実現される。また、入力インターフェース２４４は、例えば、マイク等の音声入力を受け付けるユーザインターフェースによって実現されてもよい。入力インターフェース２４４がタッチパネルである場合、後述するディスプレイ２４６は入力インターフェース２４４と一体として形成されてよい。
【００４５】
ディスプレイ２４６は、各種の情報を表示する。例えば、ディスプレイ２４６は、処理回路２５０によって生成された画像を表示したり、操作者からの各種の入力操作を受け付けるためのＧＵＩ等を表示したりする。例えば、ディスプレイ２４６は、ＬＣＤや、ＣＲＴディスプレイ、有機ＥＬディスプレイ等である。
【００４６】
処理回路２５０は、操作者からの各種操作を受け付けるためのＧＵＩ（Graphical User Interface）や各種画像をディスプレイ２４６に表示する。また、処理回路２５０は、例えば、判定機能２５２を備える。処理回路２５０は、例えば、ハードウェアプロセッサがメモリ（記憶回路）２６０に記憶されたプログラムを実行することにより、これらの機能を実現するものである。
【００４７】
ハードウェアプロセッサとは、例えば、ＣＰＵ、ＧＰＵ、特定用途向け集積回路、プログラマブル論理デバイス等の回路（circuitry）を意味する。メモリ１５０にプログラムを記憶させる代わりに、ハードウェアプロセッサの回路内にプログラムを直接組み込むように構成しても構わない。この場合、ハードウェアプロセッサは、回路内に組み込まれたプログラムを読み出し実行することで機能を実現する。上記のプログラムは、予めメモリ２６０に格納されていてもよいし、ＤＶＤやＣＤ−ＲＯＭ等の非一時的記憶媒体に格納されており、非一時的記憶媒体が医用画像処理装置２４０のドライブ装置（不図示）に装着されることで非一時的記憶媒体からメモリ２６０にインストールされてもよい。ハードウェアプロセッサは、単一の回路として構成されるものに限らず、複数の独立した回路を組み合わせて１つのハードウェアプロセッサとして構成され、各機能を実現するようにしてもよい。また、複数の構成要素を１つのハードウェアプロセッサに統合して各機能を実現するようにしてもよい。処理回路２５０は、「処理部」の一例である。
【００４８】
メモリ２６０は、例えば、ＲＡＭ、フラッシュメモリ等の半導体メモリ素子、ハードディスク、光ディスク等によって実現される。非一過性の記憶媒体を含むこれらの記憶媒体は、ＮＡＳや外部ストレージサーバ装置といったネットワークＮＷを介して接続される他の記憶装置によって実現されてもよい。また、メモリ２６０には、ＲＯＭやレジスタ等の一過性の記憶媒体が含まれてもよい。メモリ２６０には、例えば、学習済みモデル１５５、健診データ２６２、およびその他の情報が格納される。健診データ２６２は、上述した診察データ１５１と同様の項目であって、当該医療機関で健診した健診データが格納される。
【００４９】
判定機能２５２は、通信インターフェース２４２を介して医用画像生成装置２２０から入力された医用画像に対して学習済みモデル１５５を用いて追加検査の有無を判定する。また、判定機能２５２は、健診者の追加検査の必要性の有無を示す情報を出力する。例えば、判定機能は、追加検査の必要性の有無を示す情報を含む健診データ２６２をメモリ２６０に記憶させてもよく、ディスプレイ２４６に表示させてもよい。これにより、医用画像処理装置２４０は、情報処理装置１００により生成された学習済みモデル１５５を用いて医用画像に対する追加検査の有無を、より迅速且つ高精度に判定することができる。
【００５０】
図９は、第１の実施形態の処理回路１４０の一連の処理について説明するためのフローチャートである。取得機能１４１は、医療機関２００から複数の健診データを含む診察データを取得し（ステップＳ２００）、取得した複数の診察データをメモリ１５０に記憶させる（ステップＳ２０２）。次に、ラベル付与機能１４２は、上述した健診データの医用画像に第１のラベルまたは第２のラベルを付与するラベル付与処理を実行する（ステップＳ２０４）。
【００５１】
次に、学習モデル生成機能１４３は、ラベルが付与された教師あり学習用データを用いて学習済みモデルを生成し（ステップＳ２０６）、生成した学習済みモデルを医療機関２００に送信する（ステップＳ２０８）。これにより、本フローチャートの処理は、終了する。
【００５２】
以上説明した第１の実施形態によれば、情報処理装置１００において、第一の医療機関から複数の健診者ごとの医用画像を含む健診データを取得する取得機能１４１と、健診データに対応付けられた日付から基準期間以内に、複数の健診者に含まれる健診者が第一の医療機関または第二の医療機関で特定の検査を受けたことが検知され、または推定された場合に、健診者に係る医用画像に第１のラベルを付与するラベル付与機能１４２とを備えることにより、医用画像に対する教師ありの学習用データを効率的に取得することができる。
【００５３】
また、第１の実施形態によれば、ラベル付与機能１４２は、健診データに対応付けられた日付から基準期間以内に、複数の健診者に含まれる健診者が第一の医療機関または第一の医療機関とは異なる第二の医療機関で特定の検査を受けていることが検知されず、且つ推定されない場合に、健診者に係る医用画像に、第２のラベルを付与することで、正例だけでなく、負例の教師あり学習用データを生成することができる。
【００５４】
また、第１の実施形態によれば、従来ではラベル付けがなされていない健診データに含まれる医用画像を有効に活用して、大量の教師ありの学習用データを生成することができる。また、第１の実施形態によれば、医師が健診データの医用画像を視認して、ラベル付けを行う場合に、情報処理装置１００のラベル付与機能１４２による追加検査の有無を示すラベルを用いて、医用画像のフィルタリング等を行うことで、より効率的、且つ、短時間に視認によるラベル付けを行うことができる。
【００５５】
（第２の実施形態）
以下、第２の実施形態について説明する。第２の実施形態の情報処理装置は、第１のラベルまたは第２のラベルを付与する場合に、特定の検査による診察を行った他の医療機関が、健診を行った医療機関よりも精密な診断が実施可能な高度医療機関であるか否かを判定する処理が追加されている点で第１の実施形態と相違する。以下、第１の実施形態との相違点を中心に説明し、第１の実施形態と共通する部分については説明を省略する。また、第２の実施形態では、第１の実施形態の情報処理装置１００を用いることとする。
【００５６】
図１０は、第２の実施形態のラベル付与機能の一連の処理の流れを示すフローチャートである。図１０の例では、上述した図５に示す第１の実施形態と比較して、ステップＳ１１０の処理と、ステップＳ１１２の処理との間に、ステップＳ１１１の処理が追加されている点で相違する。したがって、以下では、ステップＳ１１１の処理を中心に説明する。
【００５７】
ステップＳ１１０の処理において、特定の検査を受けたことが検知され、または推定された日が、健診データに対応付けられた日付から基準期間以内である場合、ラベル付与機能１４２は、特定の検査を受ける医療機関が、高度医療機関であるか否か判定する（ステップＳ１１１）。ステップＳ１１１の処理において、ラベル付与機能１４２は、例えば、健診を行った医療機関のＩＤ（医療機関ＩＤ）と、特定の検査を受けた医療機関のＩＤ（医療機関ＩＤ）とに基づいて、診察レベルデータ１５３を参照して、それぞれの医療機関ＩＤに対する診察レベルを取得し、取得した診察レベルを比較することで、特定の検査を受ける医療機関が、健診を受けたデータであるか否かを判定する。
【００５８】
ラベル付与機能１４２は、特定の検査を受ける高度医療機関である場合に、医用画像に第１のラベルを付与し（ステップＳ１１２）、高度医療機関でない場合に、医用画像に第２のラベルを付与する（ステップＳ１１４）。
【００５９】
以上説明した第２の実施形態によれば、第１の実施形態と同様の効果を奏する他、ラベル付与機能１４２により、健診後に、より精密な検査を受けたことを検知することで、より適切なラベルを医用画像に付与することができる。
【００６０】
（第３の実施形態）
以下、第３の実施形態について説明する。第３の実施形態の情報処理装置は、健診を受けた医療機関が紹介状を発行しているか否かに基づいて特定の検査を受けているか否かを判定する点で、第１の実施形態と相違する。以下、第１の実施形態との相違点を中心に説明し、第１の実施形態と共通する部分については説明を省略する。また、第３の実施形態では、第１の実施形態の情報処理装置１００を用いることとする。
【００６１】
図１１は、第３の実施形態のラベル付与機能の一連の処理の流れを示すフローチャートである。図１１の例では、上述した図５に示す第１の実施形態と比較して、ステップＳ１０６の処理に代えて、ステップＳ１２０の処理が追加されている点で相違する。したがって、以下では、ステップＳ１２０の処理を中心に説明する。
【００６２】
ステップＳ１２０の処理において、対象患者の健診データを抽出した場合、ラベル付与機能１４２は、診察データ１５１に、健診データに対応付けられた紹介状情報が含まれるか否かを判定する（ステップＳ１２０）。紹介状情報が含まれる場合、ラベル付与機能１４２は、健診者が第一の医療機関または第二の医療機関で特定の検査を受けたと推定し、上述したステップＳ１０８以降の処理を実行し、紹介状情報が存在しない場合に、本フローチャートの処理を終了する。
【００６３】
なお、第３の実施形態において、ラベル付与機能１４２は、紹介状が発行されていることに加えて、紹介状情報の内容に基づいて特定の検査を受けているか否かを判定してもよい。この場合、ラベル付与機能１４２は、診察データ１５１に含まれる紹介状情報の内容を認識し、認識された紹介状情報の内容と、健診データの所見情報とに基づいて、特定の検査を受けているか否かを判定してもよい。
【００６４】
図１２は、紹介状画像ＩＭ１の一例を示す図である。紹介状画像ＩＭ１には、例えば、紹介状の発行日が示された第１領域Ａ１と、紹介状の宛先の医療機関名や医師等に関する情報が示された第２領域Ａ２と、紹介状の発行元の医療機関名や担当医師に関する情報が示された第３領域Ａ３と、健診者に関する情報が示された第４領域Ａ４とが含まれる。健診者に関する情報とは、例えば、健診者の個人情報、紹介目的、病名、病状経過、所見等の情報が示されている。
【００６５】
例えば、ラベル付与機能１４２は、診察データ１５１に含まれる紹介状情報に紹介状画像ＩＭ１が含まれる場合に、ＯＣＲ（Optical Character Recognition）等による文字認識処理を実行し、第１領域Ａ１〜第４領域Ａ４に含まれる文字情報を取得する。取得した文字情報は、診療情報に相当する情報である。
【００６６】
例えば、ラベル付与機能１４２は、取得機能１４１により取得した文字情報に基づいて、第４の領域Ａ４に含まれる紹介目的や病名と、健診データの所見情報に含まれる病名とを比較し、関連する病名または身体の部位に関する診察を受けている場合に、特定の検査を受けていると推定する。
【００６７】
また、ラベル付与機能１４２は、第２領域Ａ２で認識した文字情報に含まれる診療種別（図１１に示すＢＢＢ科）と、第３領域Ａ３で認識した文字情報に含まれる診療種別（図１１に示すＥＥＥ科）とが一致または関連する種別である場合に、特定の検査を受けていると推定してもよい。また、ラベル付与機能１４２は、第１領域Ａ１で認識した文字情報に含まれる日付を、健診データの日付に読み替えてもよい。
【００６８】
以上説明した第３の実施形態によれば、第１の実施形態と同様の効果を奏する他、紹介状が発行されている場合または紹介状の内容に基づいて、特定の検査を受けているもの推定することで、より効率的にラベルを付与することができる。
【００６９】
（第４の実施形態）
以下、第４の実施形態について説明する。第４の実施形態の情報処理装置は、健診データの履歴情報をメモリに記憶して、患者の経過を観察し、観察結果に基づいて教師ありの学習用データを生成または変更する点で、第１の実施形態と相違する。以下、第１の実施形態との相違点を中心に説明し、第１の実施形態と共通する部分については説明を省略する。
【００７０】
図１３は、第４の実施形態の情報処理装置１００Ａの機能の一例を示す図である。なお、情報処理装置１００Ａは、ネットワークＮＷを介して複数の医療機関２００−１〜２００−Ｎと接続されるが、医療機関２００−１〜２００−Ｎは、上述した第１の実施形態と同様の構成であるため、以下では、その説明を省略する。情報処理装置１００Ａは、例えば、通信インターフェース１１０と、入力インターフェース１２０と、ディスプレイ１３０と、処理回路１４０Ａと、メモリ１５０Ａとを備える。処理回路１４０Ａは、例えば、取得機能１４１と、ラベル付与機能１４２Ａと、学習モデル生成機能１４３と、経過観察機能１４４とを備える。処理回路１４０Ａは、処理回路１４０は、例えば、ハードウェアプロセッサがメモリ（記憶回路）１５０Ａに記憶されたプログラムを実行することにより、これらの機能を実現するものである。経過観察機能１４４は、「経過観察部」の一例である。
【００７１】
メモリ１５０Ａには、例えば、診察データ１５１、患者統合データ１５２、診察レベルデータ１５３、教師あり学習用データ１５４、学習済みモデル１５５、履歴情報、およびその他の情報が格納される。
【００７２】
図１３の例において、情報処理装置１００Ａは、処理回路１４０Ａに経過観察機能１４４を備え、メモリ１５０Ａに履歴情報１５６を備える点で、図１に示す情報処理装置１００と相違する。また、情報処理装置１００Ａは、ラベル付与機能１４２に代えてラベル付与機能１４２Ａを備える点、および教師あり学習用データ１５４に代えて教師あり学習用データ１５４Ａがメモリ１５０Ａに記憶されている点で、図１に示す情報処理装置１００と相違する。したがって、以下では、ラベル付与機能１４２、経過観察機能１４４、教師あり学習用データ１５４Ａ、および履歴情報１５６を中心として説明する。
【００７３】
経過観察機能１４４は、同一患者の過去の健診データの履歴情報を生成し、生成した履歴情報１５６をメモリ１５０Ａに記憶させる。また、経過観察機能１４４は、履歴情報１５６に基づいて、対象患者の診察の経過を観察する。図１４は、第４の実施形態の履歴情報１５６の内容の一例を示す図である。履歴情報１５６には、統合ＩＤに過去の所定年数分の健診履歴データが対応付けられている。健診履歴データには、医用画像と、追加検査の有無を出力するモデルを生成する際のラベル（第１のラベルまたは第２のラベル）とが対応付けられている。
【００７４】
ラベル付与機能１４２Ａは、第１の実施形態と同様に、最新の健診データの医用画像にラベルを付与する。経過観察機能１４４は、ラベル付与機能１４２Ａにより付与された最新の健診データに付与されたラベルと、履歴情報１５６の含まれる同一患者の過去の健診データに付与されたラベルとに基づいて確度レベルを付与して、教師あり学習用データ１５４Ａを生成する。確度レベルとは、ラベルに対する確からしさを示す指標である。例えば、ラベル付与機能１４２Ａは、過去のラベルと現在のラベルとの一致率に基づいて、確度レベルを付与する。
【００７５】
図１５は、第４の実施形態の教師あり学習用データ１５４Ａの内容の一例を示す図である。学習用データ１５４Ａは、医用画像に、ラベルおよび確度レベルが対応付けられている。図１５の例において、確度レベルの高さは、「Ａ＞Ｂ＞Ｃ」であるものとする。
【００７６】
図１５の例において、統合ＩＤ「Ｕａ」の医用画像「ＩＭＧ１０１」のラベルが「１」であり、履歴情報１５６の統合ＩＤ「Ｕａ」の過去の健診時の医用画像「ＩＭＧ１０２」、「ＩＭＧ１０３」、および「ＩＭＧ１０４」のラベルが何れも「１」である場合、一致率は１００％である。この場合、経過観察機能１４４は、確度レベルに「Ａ」を付与する。
【００７７】
また、図１５の例において、例えば、統合ＩＤ「Ｕｂ」の医用画像「ＩＭＧ２０１」のラベルが「２」であり、履歴情報１５６の統合ＩＤ「Ｕｂ」の過去の健診時の医用画像「ＩＭＧ２０２」、「ＩＭＧ２０３」、および「ＩＭＧ２０４」のラベルがそれぞれ「２」、「２」、および「１」である場合、一致率は、約６６．７％である。この場合、経過観察機能１４４は、確度レベルに「Ｂ」を付与する。
【００７８】
また、図１５の例において、例えば、統合ＩＤ「Ｕｃ」の医用画像「ＩＭＧ３０１」のラベルが「１」であり、履歴情報１５６の統合ＩＤ「Ｕａ」の過去の健診時の医用画像「ＩＭＧ３０２」、「ＩＭＧ３０３」、および「ＩＭＧ３０４」のラベルが、それぞれ「２」、「２」、「１」である場合、一致率は約３３.３％である。この場合、経過観察機能１４４は、確度レベルに「Ｃ」を付与する。
【００７９】
なお、第４の実施形態では、予め一致率に対応する確度レベルがテーブル等で設定されていてもよい。この場合、ラベル付与機能１４２Ａは、設定したテーブルを用いて一致率に対するラベルを付与する。このように、過去のラベルの付与内容に基づいて、医用画像に付与するラベルの確度を、より正確に把握することができる。
【００８０】
なお、経過観察機能１４４は、履歴情報１５６がない場合（すなわち、過去の健診データがない場合）には、予め決められた確度レベル（例えば、レベル「Ｂ」）を付与してもよく、確度レベルを付与しないようにしてもよい。
【００８１】
また、経過観察機能１４４は、上述した履歴情報１５６に代えて、または加えて、診察データ１５１の診察結果に含まれる数値データ、或いは紹介状情報の有無等に基づいて確度レベルを付与してもよい。例えば、経過観察機能１４４は、肺活量の数値データが正常でない場合で、肺に関する医用画像に第１のラベルが付与されている場合に、肺活量の数値データが正常である場合に比して、確度レベルを高くする。また、経過観察機能１４４は、例えば、紹介状情報がある場合の方が、ない場合よりも確度レベルを高くする。これにより、より正確なラベルの確度を付与することができる。
【００８２】
また、経過観察機能１４４は、確度レベルが閾値以下である場合に、対象の医用画像を教師ありデータから削除してもよい。例えば、経過観察機能１４４は、確度レベルＣ以下のラベルを教師あり学習用データから削除する。確度の高い教師あり学習用データを生成することができる。
【００８３】
また、経過観察機能１４４は、確度レベルが閾値以下である場合に、履歴情報１５６に含まれる過去の健診履歴データに対応する医用画像を、教師あり学習用データ１５４Ａから削除してもよい。このように、過去の医用画像も含めて削除することで、学習モデル生成機能１４３において、より正確な学習済みモデルを生成することができる。
【００８４】
図１６は、第４の実施形態のラベル付与機能および経過観察機能を含む一連の処理の流れを示すフローチャートである。図１６の例では、上述した図５に示す第１の実施形態と比較して、ステップＳ１１６の処理の前に、ステップＳ１３０〜Ｓ１３４の処理が追加されている点で相違する。したがって、以下では、ステップＳ１３０〜Ｓ１３４の処理を中心に説明する。
【００８５】
ステップＳ１３０の処理において、ラベル付与機能１４２Ａにより第１のラベルまたは第２のラベルを付与された後、経過観察機能１４４は、履歴情報１５６を参照し、対象患者の過去の医用画像に対するラベルを取得する（ステップＳ１３０）。次に、経過観察機能１４４は、ステップＳ１１２またはステップＳ１１４の処理により付与した第１のラベルまたは第２のラベルと、過去の医用画像に対するラベルとに基づいて、付与したラベルに対する確度レベルを付与する（ステップＳ１３２）。次に、経過観察機能１４４は、確度レベルが閾値伊賀の教師あり学習用データを削除し（ステップＳ１３４）、ステップＳ１１６の処理を実行する。また、ステップＳ１０４の処理において、対象患者の健診データを抽出していない場合、またはステップＳ１０６の処理において、特定の検査を受けていない場合に、ステップＳ１１６の処理を実行する。
【００８６】
以上説明した第４の実施形態によれば、第１の実施形態と同様の効果を奏する他、履歴情報に基づいて、医用画像に付与した確度レベルに基づいて、より正確なラベルを付与することができる。また、確度レベルが閾値以下の医用画像を教師あり学習用データから削除することで、より適切な学習済みモデルを生成することができる。
【００８７】
なお、上述した第１〜第４の実施形態は、他の実施形態の一部または全部を組み合わせてもよい。
【００８８】
上記説明したいずれかの実施形態は、以下のように表現することができる。
プログラムを格納するストレージと、
プロセッサと、を備え、
前記プロセッサは、前記プログラムを実行することにより、
第一の医療機関から複数の健診者ごとの医用画像を含む健診データを取得し、
前記健診データに対応付けられた日付から基準期間以内に、前記複数の健診者に含まれる健診者が前記第一の医療機関または前記第一の医療機関とは異なる第二の医療機関で特定の検査を受けたことが検知され、または推定された場合に、前記健診者に係る医用画像に第１のラベルを付与し、
前記第１のラベルは、医用画像に基づいて追加検査の有無を出力するモデルを生成する際の正例として用いられるものである、
ように構成されている、情報処理装置。
【００８９】
以上説明した少なくともひとつの実施形態によれば、情報処理装置１００において、第一の医療機関から複数の健診者ごとの医用画像を含む健診データを取得する取得機能１４１と、健診データに対応付けられた日付から基準期間以内に、複数の健診者に含まれる健診者が第一の医療機関または前記第一の医療機関とは異なる第二の医療機関で特定の検査を受けたことが検知され、または推定された場合に、前記健診者に係る医用画像に第１のラベルを付与するラベル付与機能１４２とを備え、前記第１のラベルは、医用画像に基づいて追加検査の有無を出力するモデルを生成する際の正例として用いられるものであることにより、医用画像に対する教師ありの学習用データを効率的に取得することができる。
【００９０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９１】
１００…情報処理装置、１１０、２４２…通信インターフェース、１２０、２４４…入力インターフェース、１３０、２４６…ディスプレイ、１４０、１４０Ａ、２５０…処理回路、１４１…取得機能、１４２、１４２Ａ…ラベル付与機能、１４３…学習モデル生成機能、１４４…経過観察機能、１５０、１５０Ａ、２６０…メモリ、２００…医療機関、２２０…医用画像生成装置、２４０…医用画像処理装置、２５２…判定機能
【図１】
2020113208.tif 000003
【図２】
2020113208.tif 000004
【図３】
2020113208.tif 000005
【図４】
2020113208.tif 000006
【図５】
2020113208.tif 000007
【図６】
2020113208.tif 000008
【図７】
2020113208.tif 000009
【図８】
2020113208.tif 000010
【図９】
2020113208.tif 000011
【図１０】
2020113208.tif 000012
【図１１】
2020113208.tif 000013
【図１２】
2020113208.tif 000014
【図１３】
2020113208.tif 000015
【図１４】
2020113208.tif 000016
【図１５】
2020113208.tif 000017
【図１６】
2020113208.tif 000018